(57)【要約】【課題】外部からの可視光線を遮断しつつ、装置との間を明るく照らすことができる身体支持システムを提供する。【解決手段】身体支持システム１は、可視光線の少なくとも一部を遮断でき、使用者の身体を支持する装置３１に取付けられる第１部材１２と、第１部材と装置３１との間の空間を照らす照明部１４と、を備える。【選択図】図１
2020099546.tif 000002
【特許請求の範囲】
【請求項１】
照明付き外部光線遮断器具と、
使用者の身体を支持し、前記照明付き外部光線遮断器具が取付けられる装置と、
を備え、
前記照明付き外部光線遮断器具は、
可視光線の少なくとも一部を遮断でき、前記装置に取付けられる第１部材と、
前記第１部材と前記装置との間の空間を照らす照明部と、
を備える身体支持システム。
【請求項２】
前記照明部は、前記第１部材に取付けられ、前記使用者を照らす請求項１に記載の身体支持システム。
【請求項３】
前記第１部材よりも遮音性が高く、前記第１部材に設けられた第２部材を備える請求項１又は２に記載の身体支持システム。
【請求項４】
前記照明部は、前記装置により支持される前記使用者の手元のみを照らす請求項１から３のいずれか一項に記載の身体支持システム。
【発明の詳細な説明】
【技術分野】
【０００１】
本発明は、身体支持システムに関する。
【背景技術】
【０００２】
従来、使用者の身体を支持する装置に、シェード（外部光線遮断器具）が取付けられた身体支持システムが知られている（例えば、特許文献１から５参照）。
【先行技術文献】
【特許文献】
【０００３】
【特許文献１】実開昭５９−１５９３７１号公報
【特許文献２】実開昭６０−０１３０５５号公報
【特許文献３】実開昭６１−１９１０３０号公報
【特許文献４】実開昭６２−１２０８５３号公報
【特許文献５】実開平０２−０３８９２２号公報
【発明の概要】
【発明が解決しようとする課題】
【０００４】
しかしながら、従来の身体支持システムでは、外部からの可視光線を遮断しつつ、使用者の好みに応じて装置とシェードとの間を明るく照らすことは困難である。
【０００５】
本発明は、このような問題点に鑑みてなされたものであって、外部からの可視光線を遮断しつつ、装置との間を明るく照らすことができる身体支持システムを提供することを目的とする。
【課題を解決するための手段】
【０００６】
本発明に係る身体支持システムは、照明付き外部光線遮断器具と、使用者の身体を支持し、前記照明付き外部光線遮断器具が取付けられる装置と、を備え、前記照明付き外部光線遮断器具は、可視光線の少なくとも一部を遮断でき、前記装置に取付けられる第１部材と、前記第１部材と前記装置との間の空間を照らす照明部と、を備える。
【図面の簡単な説明】
【０００７】
【図１】本発明の一実施形態のベッドシステムにおいて、ベッドの背ボトムを下げた状態を模式的に示す斜視図である。
【図２】本発明の一実施形態のベッドシステムのブロック図である。
【図３】本発明の一実施形態のベッドシステムにおいて、ベッドの背ボトムを上げて第１部材を遮断状態にした状態を模式的に示す縦断面図である。
【図４】本発明の一実施形態のベッドシステムの動作の第１の例を示すフローチャートである。
【図５】本発明の一実施形態のベッドシステムの動作の第２の例を示すフローチャートである。
【図６】本発明の一実施形態の変形例のベッドシステムにおいて、ベッドの背ボトムを上げて第１部材を遮断状態にした状態を模式的に示す縦断面図である。
【図７】本発明の一実施形態の変形例のベッドシステムにおいて、ベッドの背ボトムを下げた状態を模式的に示す斜視図である。
【図８】本発明の一実施形態の変形例のベッドシステムにおいて、フィルムの一例を示す斜視図である。
【図９】本発明の一実施形態の変形例のベッドシステムにおいて、フィルムの他の例を示す斜視図である。
【発明を実施するための形態】
【０００８】
以下、本発明に係る身体支持システムの一実施形態を、身体支持システムがベッドシステムである場合を例にとって、図１から図９を参照しながら説明する。
【０００９】
図１に示す本実施形態のベッドシステム１は、例えば床面上に設置されている。ベッドシステム１は、照明付きシェード（照明付き外部光線遮断器具）１１と、照明付きシェード１１が取付けられるベッド（装置）３１と、を備えている。
なお、図１を含む各図において、符号Ｘはベッド３１の長手方向に沿った第１方向を示す。符号Ｙはベッド３１の幅方向に沿った第２方向を示し、符号Ｚは上下方向に沿った第３方向を示す。第２方向Ｙは、第１方向Ｘに直交する方向である。第３方向Ｚは、第１方向Ｘ及び第２方向Ｙにそれぞれ直交する方向である。第１方向Ｘ及び第２方向Ｙは、水平面に沿う方向である。
【００１０】
ベッド３１の第１方向Ｘの長さは、ベッド３１の第２方向Ｙの長さよりも長い。第１方向Ｘは、ベッド３１上に横たわり、ベッド３１により支持される第１使用者（使用者）の全身に沿う方向である。
ベッド３１の構成は、特に限定されない。図１及び図２に示すように、本実施形態では、ベッド３１は、第１使用者の身体を支持するボトム３６と、ボトム３６を支持する架台（本体）４６と、架台４６を制御するベッド制御部５１と、を備えている。ベッド３１は、電力を動力源として動作する電動ベッドである。
なお、ベッドは手動のベッドでもよい。また、ベッドは背上げ及び膝上げができない平ベッドでもよい。
【００１１】
図１に示すように、ボトム３６は、背ボトム（Back section）３７と、腰ボトム（Seat section）３８と、脚ボトム（Leg section）３９と、を備えている。これら背ボトム３７、腰ボトム３８、及び脚ボトム３９は、第１方向Ｘに沿ってこの順で並んでいる。背ボトム３７は、第１使用者の身体の内の背を支える。腰ボトム３８は、第１使用者の腰を支える。脚ボトム３９は、第１使用者の脚を支える。
なお、図１では、後述する背上げ機構及び膝上げ機構により、背ボトム３７及び脚ボトム３９を下げた状態を示している。
【００１２】
脚ボトム３９は、膝ボトム（Upper leg section）４０と、足ボトム（Lower leg section）４１と、を備えている。これら膝ボトム４０及び足ボトム４１は、第１方向Ｘに沿ってこの順で並んでいる。膝ボトム４０は、足ボトム４１よりも腰ボトム３８の近くに配置されている。膝ボトム４０は、第１使用者の膝から腰を支える。足ボトム４１は、第１使用者の膝から足先を支える。
ボトム３６上には、マットレス４３が配置されている。マットレス４３上に、第１使用者が横たわる。
【００１３】
架台４６は、床面に設置されボトム３６を支持するフレーム４７と、背ボトム３７をフレーム４７に対して移動させる背上げ機構（不図示）と、膝ボトム４０をフレーム４７に対して移動させる膝上げ機構（不図示）と、を備えている。
ベッド制御部５１は、背上げ機構及び膝上げ機構を制御する。ベッド制御部５１は、ＡＣ（Alternating Current）１００Ｖ電源５２に接続される（図２参照）。
【００１４】
図１及び図２に示すように、照明付きシェード１１は、第１部材１２と、第３部材１３と、照明部１４と、駆動部１５と、検出部１６と、計測部１７と、入力部１８と、シェード制御部（制御部）１９と、を備えている。なお、照明付きシェード１１は、可視光線を完全には遮断できず、可視光線の一部だけを遮断できてもよい。
第１部材１２は、可視光線を遮断できる遮光部である。第１部材１２は、有色で非透明な板材等によりＵ字状に形成されている。なお、第１部材１２は、液晶等により可視光線の透過率を調節できてもよい。
第３部材１３は、Ｕ字状に形成されている。第３部材１３は、図示はしないが、樹脂等の比較的剛性の高い材料で形成された本体と、ウレタン等の柔軟な材料で形成されたクッションと、を備えている。クッションは、本体の外面を覆っている。
第３部材１３は、第１部材１２の内側に配置されている。第１部材１２は、図示しない軸受け等により、第３部材１３に対して相対的に回転移動できるように第３部材１３に支持されている。
【００１５】
第３部材１３は、ベッド３１の背ボトム３７の側面を囲った状態で背ボトム３７に固定され（取付けられ）ている。第３部材１３は、背ボトム３７における腰ボトム３８とは反対側の端部を囲っている。第３部材１３は、背ボトム３７から上方に突出している。なお、第３部材１３には、シェード制御部１９が内蔵され、第３部材１３の外面には入力部１８が取付けられている。
第１部材１２では、Ｕ字に沿った長手方向の中間部１２ａが、ベッド３１の背ボトム３７から離間した状態に配置されている。なお、図１では、第１部材１２の移動範囲の中で、第１部材１２が背ボトム３７の上面を含む基準面に最も近づいた退避状態を示している。
【００１６】
照明部１４は、ＬＥＤ（Light Emitting Diode）、有機ＥＬ（Electro Luminescence）、蛍光灯等を有している。照明部１４は、交流電圧が印加されると可視光線を発する。
照明部１４は、第１部材１２の中間部１２ａにおける背ボトム３７側の面に取付けられている。照明部１４は、交流電圧が印加されたときにベッド３１の背ボトム３７に向かって可視光線を発する。この例では、照明付きシェード１１は照明部１４を複数（本実施形態では２つ）備えていて、複数の照明部１４は、第２方向Ｙに互いに離間した状態で並べて配置されている。
照明部１４は、第１部材１２の中間部１２ａとベッド３１との間の空間を照らす。
【００１７】
駆動部１５は、図示はしないが例えば、アクチュエータと、ワイヤと、を備えている。アクチュエータは、交流電圧が印加されると、アクチュエータから突出するワイヤの長さを調節できる。また、アクチュエータは、交流電圧が印加されないときには、アクチュエータから突出するワイヤの長さを保持できる。
アクチュエータは、第３部材１３に固定されている。ワイヤは、第１部材１２に固定されている。駆動部１５は、アクチュエータから突出するワイヤの長さを調節することにより、第３部材１３に対して第１部材１２を軸受け周りに回転移動させる。
【００１８】
検出部１６は、例えば眠りＳＣＡＮ（登録商標、パラマウントベッド株式会社製）である。検出部１６は、公知の方法により、第１使用者によるベッド３１の利用状況を検出する。ここで言う、第１使用者によるベッド３１の利用状況とは、睡眠状態、覚醒状態等である。睡眠状態は、第１使用者がベッド３１上で横たわって眠っている状態を意味する。覚醒状態は、第１使用者がベッド３１上で横たわっているが、目を覚ましている状態を意味する。
例えば、検出部１６は、背ボトム３７とマットレス４３との間に配置されている。検出部１６は、検出結果を定期的にシェード制御部１９に送る。
【００１９】
計測部１７は、例えばタイマーである。計測部１７は、現在の時刻を測定する。計測部１７は、測定結果を定期的にシェード制御部１９に送る。
【００２０】
例えば、入力部１８はボタン１８ａと、ダイヤル１８ｂと、を備えている（図１参照）。ボタン１８ａは、予め、内部の一対の接点が互いに離間したＯＦＦ状態になっているとする。ボタン１８ａは押し込まれる毎に、ＯＮ状態（一対の接点が互いに接触した状態）、ＯＦＦ状態、ＯＮ状態、‥と交互に切り替わる。ボタン１８ａの状態は、シェード制御部１９で定期的に検出される。
ダイヤル１８ｂは、ダイヤル１８ｂの軸線周りに回転できる。ダイヤル１８ｂを基準位置から軸線周りの一方側に回転させると、ダイヤル１８ｂは、シェード制御部１９に対して、第３部材１３に対して第１部材１２を基準面から離間する（上昇する）ように回転移動させる指示を与える。一方で、ダイヤル１８ｂを基準位置から軸線周りの他方側に回転させると、ダイヤル１８ｂは、シェード制御部１９に対して、第３部材１３に対して第１部材１２を基準面に近づく（下降する）ように回転移動させる指示を与える。
【００２１】
なお、入力部１８のボタン１８ａ及びダイヤル１８ｂは、ベッド３１により身体を支持されている第１使用者により操作されてもよいが、第１使用者とは異なる第２使用者により操作されてもよい。
【００２２】
シェード制御部１９は、ベッド３１のベッド制御部５１から交流電圧を供給される。シェード制御部１９は、検出部１６の検出結果、計測部１７の測定結果、ボタン１８ａの状態、及び入力部１８のダイヤル１８ｂにより与えられた指示に基づいて、照明部１４、駆動部１５を制御する。
【００２３】
以上のように構成されたベッドシステム１において、背上げ機構を駆動すると、図３に示すように背ボトム３７が上がる。ダイヤル１８ｂを軸線周りの一方側に回転させると、シェード制御部１９は、駆動部１５により第３部材１３に対して第１部材１２を基準面から離間するように回転移動させる。これにより、第１部材１２は、外部から第１使用者Ｐ１の頭部に向かう可視光線Ｌ１を遮断する遮断状態になる。なお、遮断状態とは、第１使用者Ｐ１が仰向けで寝た状態で、視線が第１部材１２によって遮られる状態をいう。
このとき、第１使用者Ｐ１が入力部１８のボタン１８ａを押し込んでＯＮ状態にすると、シェード制御部１９は、照明部１４に交流電圧を印加し、照明部１４を点灯する。照明部１４から発せられた可視光線Ｌ２は、第１部材１２の中間部１２ａとベッド３１との間の空間を照らし、この可視光線Ｌ２が第１使用者Ｐ１の周囲を明るく照らす。
【００２４】
次に、以上のように構成されたベッドシステム１の動作について説明する。
ベッドシステム１の動作の第１の例として、検出部１６を用いて照明部１４を制御する場合について説明する。図４は、ベッドシステム１の動作の第１の例を示すフローチャートである。
予め図３に示すように、ベッド３１の背ボトム３７が上がり、第１部材１２は遮断状態になっている。照明部１４は、消灯している。
まず、ステップＳ１１（図４参照）において、第１使用者Ｐ１がベッド３１上で眠る。このとき、背ボトム３７は上がっていても、下がっていてもよい。第１使用者Ｐ１は睡眠状態である。背ボトム３７の状態に関わらず、第１部材１２の遮断状態は続いており、外部から第１使用者Ｐ１の頭部に向かう可視光線Ｌ１が第１部材１２により遮断され、第１使用者Ｐ１は眠った状態を続けやすくなる。
ステップＳ１１が終了すると、ステップＳ１３に移行する。
【００２５】
次に、ステップＳ１３において、検出部１６による第１使用者Ｐ１の利用状態の検出を行い、ステップＳ１５に移行する。このとき、第１使用者Ｐ１が眠っているため、検出部１６は睡眠状態を検出し、検出結果をシェード制御部１９に送る。
次に、ステップＳ１５において、シェード制御部１９は、第１使用者Ｐ１が睡眠状態から覚醒状態になったか否かを判断する。このとき、第１使用者Ｐ１は睡眠状態であるため、ステップＳ１５でＮｏと判断され、ステップＳ１３に移行する。
ステップＳ１３及びステップＳ１５を組にして繰り返すうちに、第１使用者Ｐ１が睡眠状態から覚醒状態になったとする。このとき、ステップＳ１５でＹｅｓと判断され、ステップＳ１７に移行する。
【００２６】
次に、ステップＳ１７において、シェード制御部１９は、照明部１４に交流電圧を印加し、照明部１４を点灯する。第１部材１２により、外部から第１使用者Ｐ１に向かう可視光線Ｌ１が遮断されるが、照明部１４から発せられた可視光線Ｌ２が第１使用者Ｐ１に当たり、第１使用者Ｐ１は目を覚ましやすくなる。
【００２７】
次に、ベッドシステム１の動作の第２の例として、計測部１７を用いて照明部１４及び駆動部１５を制御する場合について説明する。図５は、ベッドシステム１の動作の第２の例を示すフローチャートである。第１使用者Ｐ１は、所望の時刻を予め定め、シェード制御部１９に記憶させておく。この記憶させた時刻は、第１使用者Ｐ１が起きたい時刻でもよいし、第１使用者Ｐ１が起きたい時刻よりも所定の時間だけ前の時刻であってもよい。
予め図３に示すように、ベッド３１の背ボトム３７が上がり、第１部材１２は遮断状態になっている。照明部１４は、消灯している。
【００２８】
まず、ステップＳ１１において、第１使用者Ｐ１がベッド３１上で眠る。
次に、ステップＳ２１において、計測部１７による現在の時刻の測定を行い、ステップＳ２３に移行する。
次に、ステップＳ２３において、シェード制御部１９は、計測部１７の測定結果が記憶された（予め定められた）時刻になったか否かを判断する。このとき、計測部１７の測定結果は記憶された時刻になっていないとすると、ステップＳ２３でＮｏと判断され、ステップＳ２１に移行する。
ステップＳ２１及びステップＳ２３を組にして繰り返すうちに、計測部１７の測定結果が記憶された時刻になったとする。このとき、ステップＳ２３でＹｅｓと判断され、ステップＳ２５に移行する。
【００２９】
次に、ステップＳ２５において、シェード制御部１９は、照明部１４に交流電圧を印加し、照明部１４を点灯させる。さらに、シェード制御部１９は、駆動部１５に交流電圧を印加し、駆動部１５により第３部材１３に対して第１部材１２を移動させ、第１部材１２を退避状態にする。これにより、外部から第１使用者Ｐ１に向かう可視光線Ｌ１が第１使用者Ｐ１に当たりやすくなるとともに、照明部１４から発せられた可視光線Ｌ２により第１使用者Ｐ１の周囲がさらに明るくなる。従って、第１使用者Ｐ１はさらに目を覚ましやすくなる。
【００３０】
なお、第１使用者Ｐ１等が入力部１８のボタン１８ａを押し込むと、ボタン１８ａの状態がＯＮ状態に切り替わり、シェード制御部１９は照明部１４を点灯させる。さらに、第１使用者Ｐ１等が入力部１８のボタン１８ａを押し込むと、ボタン１８ａの状態がＯＦＦ状態に切り替わり、シェード制御部１９は照明部１４を消灯させる。
なお、第１使用者Ｐ１等が入力部１８のダイヤル１８ｂを回転させると、シェード制御部１９は駆動部１５により第１部材１２を回転移動させる。
【００３１】
背ボトム３７及び脚ボトム３９を下げてボトム３６の上面を平坦にした状態で、ベッド３１上で第１使用者Ｐ１が眠ってもよい。この場合、第１使用者Ｐ１の上方から第１使用者Ｐ１に向かう照明等が第１使用者Ｐ１の頭部に当たらないように、第１部材１２を第１使用者Ｐ１の頭部の上方の位置まで移動させてもよい。
【００３２】
以上説明したように、本実施形態のベッドシステム１によれば、第１部材１２は可視光線を遮断でき、照明部１４は第１部材１２の中間部１２ａとベッド３１との間の空間を照らす。従って、第１部材１２により外部からの可視光線を遮断しつつ、照明部１４により照明付きシェード１１とベッド３１との間を明るく照らすことができる。
一般的に、身体支持システムを複数有する多床室において、部屋の明るさは部屋の場所によらず一律である。夜間や早朝等には、多床室の使用者同士で生活の時間を合わせる必要があるため、同じ時間に入眠したり、起床したりすることがある。これにより、使用者が生活リズムを乱し、使用者の生活の質が下がるという問題がある。例えば、早朝や夜間の読書、テレビ鑑賞、趣味作業等が、使用の制限を受けていた。本実施形態の身体支持システム１では、第１部材１２により外部からの可視光線Ｌ１を遮断しつつ、照明部１４により照明付きシェード１１とベッド３１との間を明るく照らすことができるため、多床室の他の使用者に及ぼす影響を抑えて、身体支持システム１内を所望の明るさにすることができる。
【００３３】
従来は、ベッドの背上げや高さの調節により、身体支持システムの照明器具と使用者との距離が変化する。このため、この照明器具にはより高い輝度や照射域が必要になり、共同スペースにおいて個々の使用者が使用する照明器具が、他の使用者の利用スペースに影響を及ぼしていた。これに対して本実施形態の身体支持システム１における照明部１４は、第１部材１２に取付けられている。これにより、照明部１４と第１部材１２とが一体に回転移動し、第１部材１２を回転移動させたときに第１使用者Ｐ１の頭部の位置における明るさが変化することを抑えることができる。
【００３４】
シェード制御部１９は、入力部１８により与えられた指示に基づいて、駆動部１５により第３部材１３に対して第１部材１２を回転移動させる。従って、第１使用者Ｐ１自身が第１部材１２を移動させるという第１使用者Ｐ１の作業負担を軽減した状態で、第１部材１２を回転移動させることができる。
【００３５】
シェード制御部１９は、ベッド３１の利用状況を検出する検出部１６の検出結果に基づいて照明部１４を制御する。これにより、ベッド３１の利用状況に基づいて、照明部１４により照明付きシェード１１とベッド３１との間を明るく照らすことができる。
シェード制御部１９は、計測部１７の測定結果が予め定められた時刻になったときに、照明部１４を点灯させ、駆動部１５により第３部材１３に対して第１部材１２を移動させる。外部から第１使用者Ｐ１に向かう可視光線Ｌ１が第１使用者Ｐ１に当たりやすくなるとともに、照明部１４から発せられた可視光線Ｌ２により第１使用者Ｐ１の周囲がさらに明るくなり、第１使用者Ｐ１がさらに目を覚ましやすくなる。
なお、この動作において照明部１４を点灯させなくてもよい。
【００３６】
なお、図６に示すベッドシステム２のように、照明付きシェード６１の照明部６２が、ベッド３１により支持される第１使用者Ｐ１の手元のみを照らすように構成してもよい。照明部６２による可視光線Ｌ３の照射角は、前述の照明部１４による可視光線Ｌ２の照射角より小さい。言い換えれば、照明部６２の指向性は、照明部１４の指向性よりも大きい。
この変形例のように構成することにより、照明部６２による可視光線Ｌ３が第１使用者Ｐ１の手元以外の部分を明るく照らすのを抑制することができる。
さらに、ベッドシステム２は、第１部材１２よりも遮音性が高く、第１部材１２に設けられた第２部材６４を備える。ここで言う遮音性は、空気伝達音及び固体伝達音を遮断する性能のことを意味する。
第２部材６４は、例えばウレタン、ゴムやグラスウール等で形成できる。なお、第３部材１３は第２部材６４と同様にウレタン等で形成されているため、第３部材１３は第１部材１２よりも遮音性が高くなる。
第２部材６４は、例えば第１部材１２における背ボトム３７とは反対側の面に取付けられている。
ベッドシステム２が第２部材６４を備えることにより、第２部材６４を介して音が伝達され難くなる。これにより、ベッド３１上の空間を、第１使用者Ｐ１の好みにより適した、パーソナル性のより高いものにすることができる。
【００３７】
なお、入力部１８を操作することにより、照明部１４に印加される交流電圧が変化して照明部１４が発する可視光線の明るさが変化するように構成してもよい。
検出部１６により第１使用者Ｐ１が覚醒状態から睡眠状態になったことを検出したときに、第１部材１２を退避状態から遮断状態にするように制御してもよい。
照明部は、ベッド３１に取付けられていてもよい。この場合であっても、照明部は、第１部材１２に向かって可視光線を発することにより、第１部材１２の一部とベッド３１との間の空間を照らす。照明部が発した可視光線は、第１部材１２により遮断される。
【００３８】
また、図７に示すベッドシステム３のように、本実施形態のベッドシステム１の第１部材１２に代えて、可視光線の透過率を調節できる第１部材７１を備えてもよい。第１部材７１は、フィルム７２と、フィルム７２を支持する第４部材７３と、を備えている。なお、図７では、フィルム７２にハッチングを付して示す。
第４部材７３は、アクリル等の無色透明な板材等によりＵ字状に形成されている。この例では、第４部材７３は第１使用者Ｐ１の上半身を覆う程度の大きさである。なお、第４部材７３は第１使用者Ｐ１の全身を覆う程度の大きさでもよい。一対の照明部１４は、第４部材７３における背ボトム３７側の面に、互いに第２方向Ｙに離間して取付けられている。
【００３９】
フィルム７２は、第４部材７３の背ボトム３７側の面における一対の照明部１４の間に取付けられている。フィルム７２は、例えば配向粒子方式のフィルムである。
図８に示すように、フィルム７２は、第１電極７２ａと、第１電極７２ａに対向するように配置された第２電極７２ｂと、第１電極７２ａと第２電極７２ｂとの間に配置された配向粒子７２ｃと、を備えている。なお、図８及び後述する図９では、配向粒子７２ｃの個々の形状までは示していない。
第１電極７２ａ及び第２電極７２ｂは、一対の照明部１４を結ぶ所定の方向に長く形成されている。
第１電極７２ａの前記所定の方向の一方側の端部に、ケーブル７４が接続されている。第２電極７２ｂの前記所定の方向の他方側の端部に、ケーブル７５が接続されている。ケーブル７４，７５は、電極７２ａ，７２ｂにおける互いに反対側となる端部にそれぞれ接続されている。図７に示すように、ケーブル７４，７５は、シェード制御部１９に接続されている。フィルム７２には、シェード制御部１９からケーブル７４，７５を介して電圧を調節した交流電圧が供給される。
【００４０】
なお、図９に示すフィルム７２Ａのように、ケーブル７５が第２電極７２ｂの前記所定の方向の一方側の端部に接続され、ケーブル７４，７５は、電極７２ａ，７２ｂにおける同じ側となる端部にそれぞれ接続されていてもよい。このように、電極７２ａ，７２ｂにケーブル７４，７５が接続される位置は、ケーブル７４が第１電極７２ａに接続され、ケーブル７５が第２電極７２ｂに接続されてれば、任意に設定できる。
なお、フィルムとして、液晶分子を用いた液晶方式のフィルム、酸化・還元反応を利用したエレクトロクロミック方式のフィルム等を用いてもよい。
【００４１】
以上、本発明の一実施形態について図面を参照して詳述したが、具体的な構成はこの実施形態に限られるものではなく、本発明の要旨を逸脱しない範囲の構成の変更、組み合わせ、削除等も含まれる。さらに、各実施形態で示した構成のそれぞれを適宜組み合わせて利用できることは、言うまでもない。
例えば、前記実施形態では、第１部材１２は、可視光線の全てを遮断できなくても、可視光線の少なくとも一部を遮断できればよい。ここで言う可視光線の少なくとも一部とは、可視光線のうちの一部の波長、可視光線の所定の波長のうちの一部等を意味する。
ベッドシステムの照明部が、ベッド３１により支持される第１使用者Ｐ１の頭部を照らすように構成してもよい。ベッド３１により支持された状態で眠っていた第１使用者Ｐ１は、頭部を照らされることにより目が覚める。このように構成することにより、ベッドシステムを目覚ましとして用いることができる。
【００４２】
シェードは、第３部材１３、駆動部１５、検出部１６、計測部１７、入力部１８、及びシェード制御部１９を備えなくてもよい。照明付きシェードが第３部材１３を備えない場合には、第１部材がベッド３１に直接取り付けられる。
身体支持システムはベッドシステム１に限定されず、椅子システム、ソファシステム等でもよい。例えば、身体支持システムが椅子システムである場合には、装置は椅子である。身体支持システムは、夜行バス用、飛行機用、人工透析用等としても用いることができる。
【符号の説明】
【００４３】
１，２，３  ベッドシステム（身体支持システム）
１１，６１  照明付きシェード（照明付き外部光線遮断器具）
１２，７１  第１部材（遮光部）
１４，６２  照明部
３１  ベッド（装置）
６４  第２部材
Ｐ１  第１使用者
【図１】
2020099546.tif 000003
【図２】
2020099546.tif 000004
【図３】
2020099546.tif 000005
【図４】
2020099546.tif 000006
【図５】
2020099546.tif 000007
【図６】
2020099546.tif 000008
【図７】
2020099546.tif 000009
【図８】
2020099546.tif 000010
【図９】
2020099546.tif 000011